(57)【要約】【課題】  主に医療分野等において細かい箇所の拭き取りが容易に行える吸水体を提供する。【解決手段】  吸水性を備えた球状の芯材２に透水性を有するシート状物３を被覆し、同被覆したシート状物３の途中を芯材２の下方でテープ状物４により緊止して余った下部に把持部５を形成している。吸水体１の頭部にはゼラチンや酸化セルロースからなる止血膜体を被着して止血効果を高めてもよいし、必要に応じて圧迫により一部が開口する消毒薬等の薬剤の内包袋を付設して薬剤の塗布が行えるようにしてもよい。【選択図】図１
2005350545.tif 000002
【特許請求の範囲】
【請求項１】
吸水性を有する芯材に透水性を有するシート状物を被覆し、同被覆したシート状物の途中を芯材下方で緊止して把持部を形成し、緊止部上方の頭部で吸水できるようにした吸水体。
【請求項２】
シート状物の被覆頭部にゼラチン又は酸化セルロースからなる止血膜剤を剥離可能に被着した請求項１記載の吸水体。
【請求項３】
シート状物の被覆頭部に圧迫により一部が開口する薬剤の内包袋を付設した請求項１記載の吸水体。
【請求項４】
一部が開口した薬剤の内包袋をシート状物の被覆頭部に付設し、内包袋の開口を剥離シートで封止した請求項１記載の吸水体。
【請求項５】
シート状物の被覆頭部内に指を挿入できる凹所を形成した請求項１〜４いずれか記載の吸水体。
【請求項６】
緊止部又は把持部に所定長さの細長の紐を取り付けた請求項１〜５いずれか記載の吸水体。
【請求項７】
複数の吸水体の緊止部同士をテープ状物で連結した請求項１〜６いずれか記載の吸水体。
【請求項８】
テープ状物の各吸水体間位置にミシン目を形成した請求項７記載の吸水体。
【発明の詳細な説明】
【技術分野】
【０００１】
本発明は、止血や消毒、薬剤の塗布等に用いられる吸水体に関する。
【背景技術】
【０００２】
従来、例えば医療分野において臓器の止血等は、トロンビンを含ませたガーゼ又はゼラチンシートを出血部に置く、もしくは付着させ、指先で圧迫を加える方法が一般的である。しかし、このようなものは平面的な形状であるから細かい箇所の拭き取りがやりにくく、特に手術等で止血に用いる場合は目的の場所に圧力を加えにくく皮膚や粘膜等を傷つけることがあった。
【特許文献１】実用新案登録第３０５１６０８号公報
【発明の開示】
【発明が解決しようとする課題】
【０００３】
本発明が解決しようとする課題は、従来のこれらの問題点を解消し、細かい箇所の拭き取りが容易に行える吸水体を提供することにある。
【課題を解決するための手段】
【０００４】
かかる課題を解決した本発明の構成は、
１）  吸水性を有する芯材に透水性を有するシート状物を被覆し、同被覆したシート状物の途中を芯材下方で緊止して把持部を形成し、緊止部上方の頭部で吸水できるようにした吸水体
２）  シート状物の被覆頭部にゼラチン又は酸化セルロースからなる止血膜剤を剥離可能に被着した前記１）記載の吸水体
３）  シート状物の被覆頭部に圧迫により一部が開口する薬剤の内包袋を付設した前記１）記載の吸水体
４）  一部が開口した薬剤の内包袋をシート状物の被覆頭部に付設し、内包袋の開口を剥離シートで封止した前記１）記載の吸水体
５）  シート状物の被覆頭部内に指を挿入できる凹所を形成した前記１）〜４）いずれか記載の吸水体
６）  緊止部又は把持部に所定長さの細長の紐を取り付けた前記１）〜５）いずれか記載の吸水体
７）  複数の吸水体の緊止部同士をテープ状物で連結した前記１）〜６）いずれか記載の吸水体。
８）  テープ状物の各吸水体間位置にミシン目を形成した前記７）記載の吸水体
にある。
【発明の効果】
【０００５】
綿球または外科領域で用いられるガーゼを糸で縫合してボール状に形成したものやティッシュを丸めたものは把持部がないためピンセット等でつかむ必要があり、しかも表面に凹凸が多いから粘膜上皮を傷つけやすい。しかし、本発明では表面が平滑であるため傷つけにくく、把持部を備えているから取り扱いが容易で拭き取りやすい。
【０００６】
綿球・角綿等は繊維くずが組織に付着しやすく、眼球の結膜など敏感な部位や体内組織では残留繊維により炎症を生じやすい。しかし、本発明ではシート状物で被覆しているから、残留繊維が体表もしくは体内表面に残りにくい。
【０００７】
インフルエンザの鼻汁，ＳＡＲＳの分泌物，はやり目の涙等をティッシュで拭くと、浸潤してきた液が指先に付着して伝染を拡大させる恐れがある。しかし、本発明では把持部を把持すれば感染性の分泌物に触れずに拭き取ることができ、また捨てるときも濡れて変形したティッシュより捨てやすい。
【０００８】
開腹手術時に圧迫止血に使用したガーゼを閉腹時に取り出した後、回収されたガーゼが使用したガーゼよりも少ないときは腹腔内を探すことになるが、浸潤した血液が臓器と同色で発見しにくいこともある。しかし、本発明ではシート状物の緊止に非透水性の緊止具を用いると容易に特定でき、緊止具に数字もしくはアルファベット等の識別情報を表記することにより、使用個数の同定が容易となる。又、把持部から細長の紐を取付けると、手術個所から紐を引っ張ることで容易に回収でき、回収忘れも少なくなる。
【０００９】
また、取り残しガーゼをどうしても発見できない場合は、従来ではガーゼに埋め込んだ細い針金をレントゲンに写すことにより部位を特定していたが、本発明では吸水体の緊止具にレントゲン線不透過物質（金属・セラミック類）を付着させておけば、ガーゼに針金を埋め込むよりも容易である。
【００１０】
手袋をした手で布等を用いて酸・アルカリ・毒物等を拭き取る場合も、断続的な作業時に浸潤した液が手袋に付着して揮発成分で低濃度曝露を受ける場合があるが、本発明では把持部を有しており、先端の頭部で吸い取るため上記のようなことが生じにくい。
【発明を実施するための最良の形態】
【００１１】
本発明の芯材としては、丸く加工した紙・パルプ・綿・ケナフ・高分子吸水剤等吸水性を有するものが用いられる。寸法は用途に応じるが、例えば手術時の止血に用いる場合は２〜５ｃｍ、眼球の拭清等に用いる場合は１〜２ｃｍが実用的である。
【００１２】
シート状物（布状物も包含する）としては、ティッシュペーパー等の紙・パルプ・綿・シルク・ナイロン・アクリル・ポリエステル・ポリウレタン・多孔性の有孔ポリエステルシート等の透水性を有するものが用いられる。シート自身は吸水性を備えていてもよく、使用時に繊維クズが出にくいものが望ましい。
【００１３】
その他、シート状物の被覆頭部に圧迫により一部が開口する薬剤の内包袋を付設して薬剤の塗布が行えるようにしてもよい。緊止の手段としては、接着剤等による固着やビニル・ゴム等の帯状の緊止具による緊止がある。シート状物の緊止部の下方は蛇腹状に形成すると滑り難くて取り扱いが容易になる。以下、本発明の各実施例を図面に基づいて具体的に説明する。
【実施例１】
【００１４】
図１〜５に示す実施例１は本発明を止血用に適用した例である。図１は実施例１の吸水体の一部切欠斜視図、図２〜５は実施例１の他の例の吸水体の斜視図である。
【００１５】
図１に示す吸水体１は、直径３０ｍｍのパルプからなる吸水性を備えた球状の芯材２に透水性を有するポリエステルからなるシート状物３を被覆し、同被覆したシート状物３の途中を芯材２の下方でテープ状物４により緊止して余った下部に把持部５を形成している。この吸水体１の把持部５を持ち、球状の頭部で目的箇所を軽く押圧して吸収させる。
【００１６】
図２に示す吸水体１は、シート状物３の被覆頭部にアンカー状の凹所６ａが複数形成されたパルプ又は合成樹脂のフィルム６を貼着し、同フィルム６の上面に酸化セルロースシート又はゼラチンスポンジからなる止血膜体７を取り付けている。これを出血部に置くことにより血液が止血膜体７と相まって迅速に吸収することで、止血効果を向上させることができる。
【００１７】
図３に示す吸水体１は、シート状物３の被覆頭部を螺線状に成形し、その表面にゼラチンスポンジ又は酸化セルロースからなる止血膜体７を剥離可能に被着している。この吸水体１を出血部に当てて圧迫止血するが、より止血効果を高めたい場合、左にねじって抜去すると止血膜体７のみが剥離して出血部に付着し、止血状態を保持できる。吸水体１は必要に応じて紐５ａを取り付け、手術時に創外に出しておけば出血で赤色になっても位置を特定でき、又紐５ａを引っ張ることで吸水体１を容易に回収できる。
【００１８】
図４に示すのは、小孔３ａを形成した粘着テープ３ｂを用い、図４（ａ），（ｂ）に示すように吸水体１の止血膜体７を例えば腕Ｗの創に当て、前記粘着テープ３ｂを上から被覆して小孔３ａに吸水体１の把持部５を通して固定することで止血できるようにしている。この例は従来のように全体を緊縛する手法と比較して血流不全を防止してピンポイントな止血を効果的に行えるものである。
【００１９】
図５（ａ）に示す吸水体１はシート状物３の被覆頭部を細長且つ螺線状に成形し、その表面にゼラチン又は酸化セルロースからなる止血膜体７を剥離可能に被着している。この吸水体１を図５（ｂ）に示すように鼻出血時に鼻孔Ｂへ差し込んで留置するか、又は把持部５を回転させて止血膜体７のみを鼻孔Ｂに残して取り外し、止血を保持する。なお、止血膜体７の頭部は呼吸のために一部開口しておく。また、止血膜体７に代えてボスミンもしくは抗アレルギー剤等からなる薬剤を浸漬した外筒膜を用いてもよい。
【実施例２】
【００２０】
図６〜１１に示す実施例２は、眼への薬剤の点入に適用した例である。図６は実施例２の吸水体の斜視図、図７は実施例２の薬剤の点入を示す説明図、図８は実施例２の他の例の吸水体の斜視図、図９は実施例２の他の例の使用状態の説明図、図１０は実施例２の他の例の吸水体の斜視図、図１１は実施例２の他の例の内包袋の断面図である。
【００２１】
図６に示す吸水体１は、指による圧迫により破れて薬剤９を滲出させる極薄部８ａを備えた内包袋８を頭部に付設している。図７（ａ），（ｂ）に示すようにまず指Ｈで加圧して極薄部８ａを少し破り、その後に眼瞼Ｍａを少し閉じた状態で吸水体１を当接し、更に軽く圧迫することで薬剤９が結膜嚢Ｍｂ内に点入される。
【００２２】
このように、首が上に曲がらない人が眼位を水平にしたまま点入でき、ベットに横になるのは大変な車椅子生活等の人が楽に点入できる。関節リウマチ等で、点眼瓶を指で挟む力がなくて液が出せない人も点入できる。目が失明している場合、目の上に点眼瓶があるかどうかわからず目に入りにくい人がいるが、目のくぼみ（眼窩）とほぼ同じ直径にして当てがえば、点眼液や眼軟骨が眼裂を細くあけていても結膜嚢Ｍｂ内に確実に点入できる。また余剰分はすぐに側面で拭き取れる。
【００２３】
図８の吸水体１は、極薄部８ａを横長にし、シート状物３の被覆外周に楕円状又は弓状の突起１０を取り付け、図９に示すように吸水体１を眼瞼Ｍａに当接して突起１０を下側の眼瞼Ｍａの骨のくぼみに固定することで、目の不自由な人でもブレなく安定的且つ確実に点入できるようにした例である。
【００２４】
図１０の吸水体１は、内包袋８の上面に粘着シート１１を貼着して内包袋８の開口８ｂを開放可能に封止し、頭部全体にラッピング１２で被覆している。この例は、薬剤９を圧迫ではなく粘着シート１１を剥離することで点入できるようにした例である。ラッピング１２は粘着シート１１を使用時まで保護するために設けられるものである。
【００２５】
図１１は内包袋８の他の例で、開口８ｂの断面積を厚さ方向に交互に拡縮して薬剤９の流出を阻害し、一度に多量の薬剤９が出ないようにして使い易くしたものである。このように吸水体１は吸水用としてだけでなく、吸水を兼ねた塗布用としても好適に用いることができる。その他、符号、構成は実施例１と同じである。
【実施例３】
【００２６】
図１２に示す実施例３は、本発明を痔出血の止血用に適用した例である。図１２は実施例３の吸水体の斜視図である。実施例３の吸水体１は、止血液からなる薬剤９を内包した内包袋８の頂上部を先細り状に突設して先端に極薄部８ａを形成している。この吸水体１を肛門に挿入して出血を頭部から吸収するとともに、圧迫することで内部の薬剤９が直腸内に注入して止血状態を保持する。薬剤９が肛門外に漏洩した場合は、シート状物３の面で拭清することで清潔に処置できる。なお、図４に示す粘着テープ３ｂを用いて肛門に圧迫固定して側面で出血を吸収させるようにしてもよい。その他、符号、構成は実施例１と同じである。
【実施例４】
【００２７】
図１３に示す実施例４は、本発明を消毒用に適用した例である。図１３は実施例４の吸水体の斜視図である。実施例４の吸水体１は、シート状物３の片面を不透水・アルコール不透過の不透シート状物１３に代え、内包袋８に開口８ｂを形成して消毒液からなる薬剤９を充填し、小面積の粘着シート１１で剥離可能に封止している。
【００２８】
この例は、例えば病院のドアノブ，検査器具の顎台，診療室の椅子を拭くときに頻回になれば手の脱脂・消毒薬の作用等により皮膚荒れを生じるが、実施例４ではワンタッチで目的の消毒薬を塗布して不透シート状物１３で塗り広げ、余分な液や汚れの拭き取りができる。その他、符号、構成は実施例１と同じである。
【実施例５】
【００２９】
図１４，１５に示す実施例５は、本発明を絵画・デザインの描画用に適用した例である。図１４は実施例５の吸水体の斜視図、図１５は実施例５の他の例の吸水体の頭部の斜視図である。
【００３０】
実施例５の吸水体１は、図１４に示すようにシート状物３の片面を不透シート状物１３に代え、内包袋８に絵画に用いる絵の具等の画剤を充填し、内包袋８の上面に筆先１５を設けている。使用時は吸水体１を描画面に当接して圧迫することで極薄部８ａが破れて画剤が注出し、側面の不透シート状物１３で塗り広げたり、筆先１５で細かい部位を描画し、余剰部分はシート状物３で吸収する。
【００３１】
図１５の吸水体１は、シート状物３を３等分して一方の面に内包袋８をシート状物３の一部として代えて用いるとともに、他方の面にビロード毛１６を植毛し、細画用と太画用の筆先１５を設けている。この例は筆先１５を細画や太画に分けたり、ビロード毛１６により様々な描画が行えるようにした例である。その他、符号、構成は実施例１と同じである。
【実施例６】
【００３２】
図１６に示す実施例６は、本発明の吸水体に指を挿入して指サックの使い方で拭清できるようにした例である。図１６は実施例６の吸水体の縦断面図である。実施例６の吸水体１は、芯材２に指Ｈが挿入できる断面波状の凹所２ａを形成し、指Ｈの先端位置に内包袋８を内在している。従って、指サックと同じ使い方により指圧で力の加減が極めて容易で、拭清や塗布をより確実に安全に行うことができる。この例は止血や絵画など圧迫に微妙な加減が求められる用途に応用できる。また、筆や綿棒を持つことが困難な人（関節リウマチ等の人）にとって有用となる。その他、符号、構成は実施例１と同じである。
【実施例７】
【００３３】
図１７に示す実施例７は、本発明の吸水体をパックにした例である。図１７は実施例７の吸水体の説明図である。実施例７では、ミシン目１７ａで切り離し可能に連設した複数の袋体１７内に吸水体１を封入し、切れ目１７ｂで裂いて容易に取り出せるようにパックにしたものである。その他、符号、構成は実施例１と同じである。
【実施例８】
【００３４】
図１８に示す実施例８は、本発明の吸水体をテープ状物で複数連結した例である。図１８は実施例８の吸水体の説明図である。実施例８では、図１８に示すようにテープ状物４を延ばして複数並行に連結し、テープ状物４の各吸水体１間位置にミシン目４ａを形成して切り離しができるようにしている。この吸水体１を図示しないケース等に収容し、必要時に一個ずつ切り離して取り出せるようにする。その他、符号、構成は実施例１と同じである。
【産業上の利用可能性】
【００３５】
本発明の吸水体は、止血，消毒，虫さされの薬の塗布，皮膚・スキンケア（アトピー性皮膚炎等の病気を治す薬剤），日やけ止め，絵画用（水彩・油絵・アクリル画など），トイレ・風呂掃除・浴室カビ取り，メガネ・カメラ・コンピュータディスプレイの汚れ取り（界面活性剤入りアルコール），化粧落としに有用である。
【図面の簡単な説明】
【００３６】
【図１】実施例１の吸水体の一部切欠斜視図である。
【図２】実施例１の他の例の吸水体の斜視図である。
【図３】実施例１の他の例の吸水体の斜視図である。
【図４】実施例１の他の例の吸水体の斜視図である。
【図５】実施例１の他の例の吸水体の斜視図である。
【図６】実施例２の吸水体の斜視図である。
【図７】実施例２の薬剤の点入を示す説明図である。
【図８】実施例２の他の例の吸水体の斜視図である。
【図９】実施例２の他の例の使用状態の説明図である。
【図１０】実施例２の他の例の吸水体の斜視図である。
【図１１】実施例２の他の例の内包袋の断面図である。
【図１２】実施例３の吸水体の斜視図である。
【図１３】実施例４の吸水体の斜視図である。
【図１４】実施例５の吸水体の斜視図である。
【図１５】実施例５の他の例の吸水体の頭部の斜視図である。
【図１６】実施例６の吸水体の縦断面図である。
【図１７】実施例７の吸水体の説明図である。
【図１８】実施例８の吸水体の説明図である。
【符号の説明】
【００３７】
１  吸水体
２  芯材
３  シート状物
３ａ  小孔
３ｂ  粘着テープ
４  テープ状物
４ａ  ミシン目
５  把持部
５ａ  紐
６  フィルム
６ａ  凹所
７  止血膜体
８  内包袋
８ａ  極薄部
８ｂ  開口
９  薬剤
１０  突起
１１  粘着シート
１２  ラッピング
１３  シート状物
１５  筆先
１６  ビロード毛
１７  袋体
１７ａ  ミシン目
１７ｂ  切れ目
Ｂ  鼻孔
Ｈ  指
Ｍ  眼
Ｍａ  眼瞼
Ｍｂ  結膜嚢
Ｗ  腕
【図１】
2005350545.tif 000003
【図２】
2005350545.tif 000004
【図３】
2005350545.tif 000005
【図４】
2005350545.tif 000006
【図５】
2005350545.tif 000007
【図６】
2005350545.tif 000008
【図７】
2005350545.tif 000009
【図８】
2005350545.tif 000010
【図９】
2005350545.tif 000011
【図１０】
2005350545.tif 000012
【図１１】
2005350545.tif 000013
【図１２】
2005350545.tif 000014
【図１３】
2005350545.tif 000015
【図１４】
2005350545.tif 000016
【図１５】
2005350545.tif 000017
【図１６】
2005350545.tif 000018
【図１７】
2005350545.tif 000019
【図１８】
2005350545.tif 000020